(57)【特許請求の範囲】
【請求項１】
燃料を供給する燃料供給タンクが接続され、燃料流入口が形成されたアダプターと、
前記燃料流入口から流入された燃料が流路を介して吐出されながら燃焼が行われる燃焼部と、
前記アダプターと前記燃焼部との間に配置され、前記燃料流入口と連通される燃料供給路が形成されることで、前記燃料供給タンクの燃料が前記燃焼部側に供給されるようにする連結ハウジングと、
前記連結ハウジングの一側に備えられ、前記燃料流入口の開閉量を次第に調節して、流入される前記燃料の量を調節する流入燃料調節部と、
前記連結ハウジングの他側に備えられ、前記燃料供給路の一側の開閉量を次第に調節して、前記燃焼部側に供給される燃料の量を調節する供給燃料調節部と、を含み、
前記供給燃料調節部は、
供給される燃料の圧力により前記燃料供給タンクから前記燃焼部側に供給される燃料の量を調節できるように前記圧力が加われば、一側に移動する加圧部と、
前記加圧部から延び、前記燃料供給路の一側に配置され、前記加圧部の移動により前記燃料供給路の開閉量を調節するヘッド部とを含む圧力連動バルブを含み、
前記ヘッド部の下側の外周面は、下側へ行くほど次第に直径が小さく形成されたテーパー部が形成されることを特徴とする燃料調節部を備えたバーナー。
【請求項２】
前記流入燃料調節部は、
前記連結ハウジングの一側に突出するように備えられ、一側が前記燃料流入口と連通され、他側が前記燃料供給路と連通される連通空間部を形成する締結部材と、
前記締結部材に締結され、前記連通空間部に収納され、その端部が前記燃料供給路と連通される前記連通空間部の一側の開閉量を調節するスピンドルと、
を含むことを特徴とする請求項１に記載の燃料調節部を備えたバーナー。
【請求項３】
前記供給燃料調節部は、
前記圧力がキャンセルされたときに、前記圧力連動バルブを元の位置に戻す戻しバネ、
を含むことを特徴とする請求項１又は２に記載の燃料調節部を備えたバーナー。
【請求項４】
前記戻しバネの外面は、連結ハウジングに結合された弾性調節ノブと接触され、前記弾性調節ノブにより弾性が調節されていることを特徴とする請求項３に記載の燃料調節部を備えたバーナー。
【請求項５】
前記燃料流入口の一側に挿入される前記スピンドルの端部は、その側面が先細くなるように形成されることを特徴とする請求項２に記載の燃料調節部を備えたバーナー。
【請求項６】
前記アダプターに前記燃料供給タンクを締結するときに、前記燃料供給タンクに収容された気体状の燃料が吐出されることを特徴とする請求項１乃至５のいずれかに記載の燃料調節部を備えたバーナー。
【請求項７】
前記燃焼部の周縁部には、加熱対象物を載置しうる複数の支持部が放射状に配置されたことを特徴とする請求項１乃至６のいずれかに記載の燃料調節部を備えたバーナー。
【発明の詳細な説明】
【技術分野】
【０００１】
本発明は、バーナーに関し、さらに詳しくは、火花が安定的に燃焼され得る燃料調節部を備えたバーナーに関するものである。
【背景技術】
【０００２】
従来、屋外で炊事用等に使用されてきたバーナーは、燃料供給タンクに圧縮された状態で収容された燃料を外部に吐出し、吐出される燃料を燃焼させることで、炊事に必要な熱源を得ており、加熱対象物の調理状態に応じて熱源の強度を調節することによって安定的に調理が行われていた。
【０００３】
そのために、バーナーの一側に調節レバーを備え、調節レバーを回転させることで熱源の強度を調節するようにしていたが、このような調節レバーを調節しても燃料供給タンクを長時間使用し、満たされた燃料の量が微量のときには、燃料が安定的に供給されなくなることがあり、不完全な燃焼により赤い火花が発生するという問題があった。
【０００４】
また、燃料が過度に燃焼部側に供給される場合には、瞬間的に火花が大きく発火し、使用者が調理する時に火傷をしたり、調理物が瞬間的に沸きあふれたりして、使用上の不便を招くような問題があった。
【０００５】
近頃、このような問題等を解決し、便利で、且つ安定的に使用することができるバーナーの必要性が求められる実状である。
【発明の概要】
【発明が解決しようとする課題】
【０００６】
前述した問題を勘案して案出された本発明の目的は、燃料供給部から供給される燃料が一定、且つ均一に燃焼部側に吐出されるように微調節されて、供給されるようにすることで、点火される火花の安定性を向上させ、使用者の便宜性を向上することができる燃料調節部を備えたバーナーを提供することにある。
【０００７】
前記した本発明のこのような目的は、バーナーのみに限定されなく、ランタン、害虫駆除器などの様々なキャンプ装備に適用し、使用することができる。
【０００８】
本発明の目的は以上で言及した目的に制限されなく、言及されていない別の目的は、以下の記載から当業者に明確に理解できるものであろう。
【課題を解決するための手段】
【０００９】
前述のような本発明の目的を達成するための燃料調節部を備えたバーナーは、燃料を供給する燃料供給タンクが接続され、燃料流入口が形成されたアダプターと、前記燃料流入口から流入された燃料が流路を介して吐出されながら燃焼が行われる燃焼部と、前記アダプターと前記燃焼部との間に配置され、前記燃料流入口と連通される燃料供給路が形成されることで、前記燃料供給タンクの燃料が前記燃焼部側に供給されるようにする連結ハウジングと、前記連結ハウジングの一側に備えられ、前記燃料流入口の開閉量を調節して、流入される前記燃料の量を調節する流入燃料調節部と、前記連結ハウジングの他側に備えられ、前記燃料供給路の一側の開閉量を調節して、前記燃焼部側に供給される燃料の量を調節する供給燃料調節部と、を含むことを特徴とする。
【００１０】
ここで、前記流入燃料調節部は、前記連結ハウジングの一側に突出するように備えられ、一側が前記燃料流入口と連通され、他側が前記燃料供給路と連通される連通空間部を形成する締結部材と、前記締結部材に締結され、前記連通空間部に収納され、その端部が前記燃料供給路と連通される前記連通空間部の一側の開閉量を調節するスピンドルと、で構成されてもよい。
【００１１】
そして、前記供給燃料調節部は、供給される燃料の圧力により前記燃料供給タンクから前記燃焼部側に供給される燃料の量を調節できるように前記圧力が加われば、一側に移動する加圧部と前記加圧部から延び、前記燃料供給路の一側に配置され、前記加圧部の移動により前記燃料供給路の開閉量を調節するヘッド部とを含む圧力連動バルブと、前記圧力がキャンセルされたときに、前記圧力連動バルブを元の位置に戻す戻しバネと、が備えられたレギュレーターで構成されてもよい。
【００１２】
また、前記流入燃料調節部は、供給される燃料の圧力により前記燃料供給タンクから前記燃焼部側に供給される燃料の量を調節できるように前記圧力が加われば、一側に移動する加圧部と、前記加圧部から延び、前記燃料供給路の一側に配置され、前記加圧部の移動により前記燃料供給路の開閉量を調節するヘッド部とを含む圧力連動バルブと、前記圧力がキャンセルされたときに、前記圧力連動バルブを元の位置に戻す戻しバネと、が備えられたレギュレーターで構成されてもよい。
【００１３】
さらに、前記供給燃料調節部は、前記連結ハウジングの一側に突出するように備えられ、一側が前記燃料流入口と連通され、他側が前記燃料供給路と連通される連通空間部を形成する締結部材と、前記締結部材に締結され、前記連通空間部に収納され、その端部が前記燃料供給路と連通される前記連通空間部の一側の開閉量を調節するスピンドルと、で構成されてもよい。
【００１４】
そして、前記アダプターに前記燃料供給タンクを締結するときに、前記燃料供給タンクに収容された気体状の燃料が吐出されるようにしてもよい。
【００１５】
また、前記燃焼部の周縁部には、加熱対象物を載置しうる複数の支持部が放射状に配置されてもよい。
【発明の効果】
【００１６】
本発明に係る燃料調節部を備えたバーナーは、燃料供給部から供給される燃料が一定に吐出されるように微調節されて、供給されるようにすることで、点火される火花の安定性を向上させ、使用者の便宜性を向上することができる効果がある。
【図面の簡単な説明】
【００１７】
【図１】本発明の一実施例に係る燃料調節部を備えたバーナーの構造を示した斜視図である。
【図２】本発明の一実施例に係る燃料調節部を備えたバーナーの縦断面の構造を示した縦断面図である。
【図３】本発明の一実施例に係る供給燃料及び流入燃料調節部を拡大して示した拡大図である。
【図４】本発明の別の実施例に係る燃料調節部を備えたバーナーの構造を示した斜視図である。
【図５】本発明の別の実施例に係る燃料調節部を備えたバーナーの縦断面の構造を示した縦断面図である。
【図６】本発明の別の実施例に係る供給燃料及び流入燃料調節部を拡大して示した拡大図である。
【発明を実施するための形態】
【００１８】
以下、本発明の一実施例に係る燃料調節部を備えたバーナーを添付された図面を参照して詳細に説明する。
【００１９】
図１は、本発明の一実施例に係る燃料調節部を備えたバーナーの構造を示した斜視図であり、図２は、本発明の一実施例に係る燃料調節部を備えたバーナーの縦断面の構造を示した縦断面図であり、図３は、本発明の一実施例に係る供給燃料及び流入燃料調節部を拡大して示した拡大図である。
【００２０】
図１〜３に示されるように、本発明の一実施例に係る燃料調節部を備えたバーナーは、燃料を供給する燃料供給タンク１０１が接続され、燃料流入口１１０が形成されたアダプター１００と、前記燃料流入口１１０から流入された燃料が流路２１０を介して吐出されながら燃焼が行われる燃焼部２００と、前記アダプター１００と前記燃焼部２００との間に配置され、前記燃料流入口１１０と連通される燃料供給路が形成されることで、前記燃料供給タンク１０１の燃料が前記燃焼部２００側に供給されるようにする連結ハウジング３００と、前記連結ハウジング３００の一側に備えられ、前記燃料流入口１１０の開閉量を調節して、流入される前記燃料の量を調節する流入燃料調節部４００と、前記連結ハウジングの他側に備えられ、前記燃料供給路３０１の一側の開閉量を調節して、前記燃焼部２００側に供給される燃料の量を調節する供給燃料調節部５００と、を含む。
【００２１】
アダプター１００は、燃料供給タンク１０１に収容された燃料を、流入燃料調節部４００を介して燃焼部２００側に供給して燃焼されるように、内部に燃料流入口１１０が形成された部材である。
【００２２】
燃料供給タンク１０１は、円筒状に形成された部材であり、その一側端部がアダプター１００に締結され、燃料供給タンク１０１に備えられたノズルを加圧することで、燃料供給タンク１０１内部に収容された気体状の燃料が燃料流入口１１０を介して流入され得る。
【００２３】
燃焼部２００は、燃料供給タンク１０１から供給された燃料を用いて実質的に燃焼される部材であり、その内部には、連結ハウジング３００に形成された燃料供給路３０１と連通される別の流路が形成されている。
【００２４】
連結ハウジング３００は、アダプター１００と燃焼部２００との間に配置され、アダプター１００と燃焼部２００とを連結する部材であり、その内部には、一端が燃料流入口１１０の一側と連通され、他端が燃焼部２００に形成された流路と連通される燃料供給路３０１が形成されている。
【００２５】
流入燃料調節部４００は、燃料供給タンク１０１から供給される燃料が燃料流入口１１０を介して流入される量を調節しており、このような流入燃料調節部４００は、使用者の必要に応じて任意に調節する役割を果たす。
【００２６】
図１〜図３に示されるように、本発明の一実施例に係る燃料調節部を備えたバーナーの流入燃料調節部４００は、連結ハウジング３００の一側に突出するように備えられ、一側が燃料流入口１１０と連通され、他側が燃料供給路３０１と連通される連通空間部４１１を形成する締結部材４１０と、締結部材４１０に締結され、連通空間部４１１に収納され、その端部が燃料供給路３０１と連通される連通空間部４１１の一側の開閉量を調節するスピンドル４２０と、で構成されてもよい。
【００２７】
締結部材４１０により形成される連通空間部４１１に収納されたスピンドル４２０を回動させ、スピンドル４２０の端部が燃料流入口１１０の一側に挿入される深さを調節することで、燃料流入口１１０の開閉量を調節して流入される燃料の量が調節される。
【００２８】
燃料流入口１１０の一側に挿入されるスピンドル４２０の端部は、その側面が先細くなるように形成されることで、燃料流入口１１０と先細くなったスピンドル４２０端部の側面間の距離に応じて開閉量が調節される。
【００２９】
即ち、スピンドル４２０端部の側面と燃料流入口１１０との間の距離が近い場合には、開閉量が小さいため、燃料流入口１１０を介して流入される燃料の量が少なくなり、反対に、スピンドル４２０端部の側面と燃料流入口１１０との間の距離が遠い場合には、開閉量が多いため、燃料流入口１１０を介して流入される燃料の量が多くなる。
【００３０】
本発明の一実施例に係る燃料調節部を備えたバーナーの供給燃料調節部５００は、供給される燃料の圧力により燃料供給タンク１０１から燃焼部２００側に供給される燃料の量を調節できるように前記圧力が加われば、一側に移動する加圧部５１２と、加圧部５１２から延び、燃料供給路３０１の一側に配置され、加圧部５１２の移動により燃料供給路３０１の開閉量を調節するヘッド部５１１とからなる圧力連動バルブ５１０と、前記圧力がキャンセルされたときに、前記圧力連動バルブ５１０を元の位置に戻す戻しバネ５１４と、が備えられたレギュレーターで構成されてもよい。
【００３１】
圧力連動バルブ５１０は、連結ハウジング３００に形成された燃料供給路３０１の経路上に移動自在に配置され、燃料流入口１１０を通過した燃料の圧力に応じてヘッド部５１１が燃料供給路３０１の開閉量を調節する部材である。
【００３２】
ヘッド部５１１の下側の外周面は、下側へ行くほど次第に直径が小さく形成されたテーパー部５１３が形成されており、このようなテーパー部５１３により燃料供給路３０１の入口とテーパー部５１３との間に形成されるギャップＧの大きさに応じて開閉量が調節される。
【００３３】
このような圧力連動バルブ５１０を構成するヘッド部５１１の外面は曲がるように形成され、加圧部５１２は板状に形成されている。
【００３４】
そして、ヘッド部５１１を速やかに移動できるようにヘッド部５１１の外面と締結部材４１０の外面との間には別のバルブ接圧バネ５３０が設けられることが好ましい。
【００３５】
また、バルブ接圧バネ５３０の対向側である加圧部５１２の外面には、圧力連動バルブ５１０を戻す戻しバネ５１４が備えられており、戻しバネ５１４の外面は、連結ハウジング３００に結合された弾性調節ノブ３１０と接触され、弾性調節ノブ３１０により弾性が調節され得る。
【００３６】
一方、図４は、本発明の別の実施例に係る燃料調節部を備えたバーナーの構造を示した斜視図であり、図５は、本発明の別の実施例に係る燃料調節部を備えたバーナーの縦断面の構造を示した縦断面図であり、図６は、本発明の別の実施例に係る供給燃料及び流入燃料調節部を拡大して示した拡大図である。
【００３７】
図４〜図６に示されるように、本発明の別の実施例に係る燃料調節部を備えたバーナーは、燃料を供給する燃料供給タンク１０１が接続され、燃料流入口１１０が形成されたアダプター１００と、前記燃料流入口１１０から流入された燃料が流路２１０を介して吐出されながら燃焼が行われる燃焼部２００と、前記アダプター１００と前記燃焼部２００との間に配置され、前記燃料流入口１１０と連通される燃料供給路が形成されることで、前記燃料供給タンク１０１の燃料が前記燃焼部２００側に供給されるようにする連結ハウジング３００と、前記連結ハウジング３００の一側に備えられ、前記燃料流入口１１０の開閉量を調節して、流入される前記燃料の量を調節する流入燃料調節部６００と、前記連結ハウジングの他側に備えられ、前記燃料供給路３０１の一側の開閉量を調節して、前記燃焼部２００側に供給される燃料の量を調節する供給燃料調節部７００と、を含んで構成されている。
【００３８】
以下、本発明の別の実施例に係る燃料調節部を備えたバーナーを説明するにあたり、本発明の一実施例に係る燃料調節部を備えたバーナーと同じ構成については同じ符号を付与し、発明の要旨を明確にするために、それらに対する詳細な説明は省略する。
【００３９】
流入燃料調節部６００は、供給される燃料の圧力により燃料供給タンク１０１から燃焼部２００側に供給される燃料の量を調節できるように前記圧力が加われば、一側に移動する加圧部６１２と加圧部６１２から延び、前記燃料供給路３０１の一側に配置され、加圧部６１２の移動により燃料供給路３０１の開閉量を調節するヘッド部６１１とからなる圧力連動バルブ６１０と、前記圧力がキャンセルされたときに、圧力連動バルブ６１０を元の位置に戻す戻しバネ６１４と、が備えられたレギュレーターで構成されてもよい。
【００４０】
圧力連動バルブ６１０は、連結ハウジング３００に形成された燃料供給路３０１の経路上に移動自在に配置され、燃料流入口１１０を通過した燃料の圧力によりヘッド部６１１が燃料供給路３０１の開閉量を調節する部材である。
【００４１】
ヘッド部６１１の下側の外周面は、下側へ行くほど次第に直径が小さく形成されたテーパー部６１３が形成されており、このようなテーパー部６１３により燃料供給路３０１の入口とテーパー部６１３との間に形成されるギャップＧの大きさに応じて開閉量が調節される。
【００４２】
このような圧力連動バルブ６１０を構成するヘッド部６１１の外面は曲がるように形成されており、加圧部６１２は板状に形成されている。
【００４３】
そして、ヘッド部６１１を速やかに移動できるようにヘッド部６１１の外面と締結部材７１０の外面との間には、別のバルブ接圧バネ６３０が設けられることが好ましい。
【００４４】
また、バルブ接圧バネ６３０の対向側である加圧部６１２の外面には、圧力連動バルブ６１０を戻す戻しバネ６１４が備えられており、戻しバネ６１４の外面は、連結ハウジング３００に結合された弾性調節ノブ３１０と接触され、弾性調節ノブ３１０により弾性が調節され得る。
【００４５】
本発明の別の実施例に係る燃料調節部を備えたバーナーの供給燃料調節部７００は、連結ハウジング３００の一側に突出するように備えられ、連結ハウジング３００に形成された燃料供給路３０１と連通される連通空間部７１１を形成する締結部材７１０と、締結部材７１０に締結され、連通空間部７１１に収納され、その端部が燃料供給路３０１と連通される連通空間部７１１の一側の開閉量を調節するスピンドル７２０と、で構成されてもよい。
【００４６】
締結部材７１０により形成される連通空間部７１１に収納されたスピンドル７２０を回動させ、スピンドル７２０の端部が燃料流入口１１０の一側に挿入される深さを調節することで、燃料流入口１１０の開閉量を調節して、流入される燃料の量が調節される。
【００４７】
燃料流入口１１０の一側に挿入されるスピンドル７２０の端部は、その側面が先細くなるように形成されることで、燃料流入口１１０と先細くなったスピンドル７２０端部の側面間の距離に応じて開閉量が調節される。
【００４８】
即ち、スピンドル７２０端部の側面と燃料流入口１１０との間の距離が近い場合には、開閉量が小さいため、燃料流入口１１０を介して流入される燃料の量が少なくなり、反対に、スピンドル７２０端部の側面と燃料流入口１１０との間の距離が遠い場合には、開閉量が多いため、燃料流入口１１０を介して流入される燃料の量が多くなる。
【００４９】
燃焼部２００の周縁部には加熱対象物を載置しうる複数の支持部８００が放射状に配置されている。
【００５０】
燃焼部２００の周縁部に放射状に配置される複数の支持部８００が備えられることで、加熱対象物を安定した状態で加熱することができる効果がある。
【００５１】
このような構成を有する本発明の一実施例に係る燃料調節部を備えたバーナーが作動する過程は、以下の通りであり、本発明の別の実施例に係る燃料調節部を備えたバーナーの場合には、本発明の一実施例と同じ方法により作動するので、それに伴う説明は省略する。
【００５２】
ただし、本発明の別の実施例に係る燃料調節部を備えたバーナーの場合には、燃料が燃焼部側に吐出される出口側に締結部材とスピンドルとが備えられ、燃料が連結ハウジングを通過する入口側がレギュレーターで構成された差がある。
【００５３】
まず、燃料供給タンク１０１をアダプター１００と連結しているが、そのために、燃料供給タンク１０１をアダプター１００の一側に挿入した後、燃料供給タンク１０１を回転させれば、アダプター１００の一側に備えられた拘束突起により燃料供給タンク１０１の回転が止まりながら燃料供給タンク１０１がアダプター１００に締結される。
【００５４】
燃料供給タンク１０１の締結により燃料供給タンク１０１内部に収容された燃料は、燃料流入口１１０を介してバーナーの内部に流入され、内部に流入された燃料は、連結ハウジング３００に形成された燃料供給路３０１を介して流入燃料調節部４００を経由した後、供給燃料調節部５００を通過して燃焼部２００側に供給され、燃焼が行われる。
【００５５】
このとき、流入燃料調節部４００から供給される気体状の燃料が有する圧力が高過ぎる場合には、スピンドル４２０を回転させ、スピンドル４２０の端部と燃料供給路３０１との間のギャップを小さくすることで、供給される燃料の量を少なくし、反対に、気体状の燃料が持つ圧力が低い場合には、スピンドル４２０を回転させ、スピンドル４２０の端部と燃料供給路３０１との間のギャップを大きくすることで、供給される燃料の量を増大させる。
【００５６】
前述したような流入燃料調節部４００の動作により、一定量で流入された燃料は、供給燃料調節部５００で再度供給量が調節される。前記供給量が調節される過程は、流入された燃料が有する圧力が大気圧より高い場合に、加圧部５１２に圧力が加われば、前記圧力により加圧部５１２が一側に移動するようになり、加圧部５１２と連結されたヘッド部５１１が移動しながら燃料供給路３０１の一側にヘッド部５１１の一側面が近づきながらテーパー部５１３と燃料供給路３０１の一側壁面との間のギャップＧが小さくなることで、開閉量が少なくなり、結果的に、燃料供給路３０１を介して燃焼部２００に供給される燃料の量が少なくなる。
【００５７】
反対に、流入された燃料が有する圧力が大気圧より低い場合には、加圧部５１２が他側に移動するようになり、加圧部５１２と連結されたヘッド部５１１が移動しながら燃料供給路３０１の一側にヘッド部５１１の一側面が近づきながらテーパー部５１３と燃料供給路３０１の一側壁面との間のギャップＧが大きくなることで、開閉量を増大し、結果的、に燃料供給路３０１を介して燃焼部２００に供給される燃料の量が増大される。
【００５８】
前述したような流入燃料調節部４００と供給燃料調節部５００の動作により、バーナーの燃焼部２００側に一定の量の燃料が持続的に供給されることで、使用者は安定的に燃焼されるバーナーを使用することができる。
【００５９】
特に、バーナーの燃焼部２００において、加えられる圧力が高い場合、流入燃料調節部４００又は供給燃料調節部５００が圧力に連動し、流入される燃料量を調節できるので、より安定的に燃料を供給することができる。
【００６０】
以上では、本発明の好ましい実施例を例示的に説明したが、本発明の範囲はこのような特定実施例のみに限定されなく、特許請求の範囲に記載された範疇内で適切に変更可能である。
【符号の説明】
【００６１】
１００  アダプター、  １０１  燃料供給タンク、  １１０  燃料流入口、  ２００  燃焼部、  ３００  連結ハウジング、  ３０１  燃料供給路、  ４００  流入燃料調節部、  ４１０  締結部材、  ４１１  連通空間部、  ４２０  スピンドル、  ５００  供給燃料調節部、  ５１０  圧力連動バルブ、  ５１１  ヘッド部、  ５１２  加圧部、  ５３０  バルブ接圧バネ、  ６００  流入燃料調節部、  ６１０  圧力連動バルブ、  ６１１  ヘッド部、  ６１２  加圧部、  ６３０  バルブ接圧バネ、  ７００  供給燃料調節部、  ７１０  締結部材、  ７２０  スピンドル、  ８００  支持部。
【図１】
0006032716.tif 000002
【図２】
0006032716.tif 000003
【図３】
0006032716.tif 000004
【図４】
0006032716.tif 000005
【図５】
0006032716.tif 000006
【図６】
0006032716.tif 000007